(57)【特許請求の範囲】
【請求項１】
携帯可能に形成されるとともに通信手段（１７）が内臓される把持ケース（１１）に、キープレート（１３）と該キープレート（１３）の一端部に設けた把持部（１４）とを有するメカニカルキー（１２）が、前記把持ケース（１１）から離脱可能として収容されるキーユニットであって、
前記把持ケース（１１）が、第１ケース部材（１５）と、第１ケース部材（１５）に係脱可能に係合する第２ケース部材（１６）とから成るものにおいて、
その両ケース部材（１５，１６）のうち第１ケース部材（１５）にだけ設けたメカニカルキー用挿入孔（３９）に、前記メカニカルキー（１２）のキープレート（１３）が、該キープレート（１３）の長手方向に抜差可能として且つ前記把持部（１４）の一部を前記把持ケース（１１）の外面に臨ませるようにして挿入され、
両ケース部材（１５，１６）が相互に係合されている状態では第１ケース部材（１５）からの前記メカニカルキー（１２）の離脱を阻止するものの両ケース部材（１５，１６）の係合解除時には第１ケース部材（１５）からの前記メカニカルキー（１２）の離脱を許容する離脱阻止機構（４０）が、前記メカニカルキー（１２）と、両ケース部材（１５，１６）のうちの第２ケース部材（１６）との間にだけ設けられ、
前記離脱阻止機構（４０）は、第２ケース部材（１６）および前記把持部（１４）の何れか一方に設けられる係止凹部（４１）と、該係止凹部（４１）に係合するようにして第２ケース部材（１６）および前記把持部（１４）の何れか他方に突設される係合突部（４２）とから成ることを特徴とするキーユニット。
【請求項２】
前記メカニカルキー（１２）が、前記把持ケース（１１）の幅方向中央部に位置するようにして第１ケース部材（１５）に挿入されることを特徴とする請求項１に記載のキーユニット。
【発明の詳細な説明】
【技術分野】
【０００１】
本発明は、携帯可能に形成されるとともに通信手段が内臓される把持ケースに、メカニカルキーが前記把持ケースから離脱することを可能として収容されるキーユニットに関する。
【背景技術】
【０００２】
車両や建物に設けられた施・解錠制御装置との間で施・解錠コードやその他の情報の授受を行うための通信手段を内蔵せしめた合成樹脂製の把持ケースに、システムトラブルに備えたエマージェンシー用のメカニカルキーが、把持ケースからの離脱を可能として収容されるキーユニットが、特許文献１で既に知られている。
【特許文献１】特開２００６−４５８５７号公報
【発明の開示】
【発明が解決しようとする課題】
【０００３】
ところが、上記特許文献１で開示されたものでは、メカニカルキーを把持ケース側に係脱可能に係合するための係止機構の構造が複雑であり、コストの増大を招くことになる。しかも係止機構は、把持ケースに設けられたスライドボタンの操作によってメカニカルキーの把持ケースへの係合を解除するように構成されているので、何かのはずみによってスライドボタンが作動して不所望にメカニカルキーが把持ケースから外れてしまう可能性がある。
【０００４】
本発明は、かかる事情に鑑みてなされたものであり、簡単な構造でメカニカルキーの把持ケースへの係合が不所望に外れてしまうことがないようにしたキーユニットを提供することを目的とする。
【課題を解決するための手段】
【０００５】
上記目的を達成するために、請求項１記載の発明は、携帯可能に形成されるとともに通信手段が内臓される把持ケースに、キープレートと該キープレートの一端部に設けた把持部とを有するメカニカルキーが、前記把持ケースから離脱可能として収容されるキーユニットであって、前記把持ケースが、第１ケース部材と、第１ケース部材に係脱可能に係合する第２ケース部材とから成るものにおいて、その両ケース部材のうち第１ケース部材にだけ設けたメカニカルキー用挿入孔に、前記メカニカルキーのキープレートが、該キープレートの長手方向に抜差可能として且つ前記把持部の一部を前記把持ケースの外面に臨ませるようにして挿入され、両ケース部材が相互に係合されている状態では第１ケース部材からの前記メカニカルキーの離脱を阻止するものの第１および第２ケース部材の係合解除時には第１ケース部材からの前記メカニカルキーの離脱を許容する離脱阻止機構が、前記メカニカルキーと、両ケース部材のうちの第２ケース部材との間にだけ設けられ、前記離脱阻止機構は、第２ケース部材および前記把持部の何れか一方に設けられる係止凹部と、該係止凹部に係合するようにして第２ケース部材および前記把持部の何れか他方に突設される係合突部とから成ることを特徴とする。
【０００６】
さらに請求項２記載の発明は、請求項１記載の発明の構成に加えて、前記メカニカルキーが、前記把持ケースの幅方向中央部に位置するようにして第１ケース部材に挿入されることを特徴とする。
【発明の効果】
【０００７】
本発明によれば、離脱阻止機構の働きによって、第１および第２ケース部材の係合を解除しない限りは、メカニカルキーが第１ケース部材から離脱してしまうことはなく、メカニカルキーが不所望に把持ケースから離脱してしまうことはない。しかも離脱阻止機構は、第１および第２ケース部材が相互に係合する際に第２ケース部材をメカニカルキーに係合させればよいので、構造は簡単でよい。
【０００８】
またメカニカルキーが把持部の一部を把持ケースの外面に臨ませて第１ケース部材に挿入されるので、把持ケースにメカニカルキーが収容されていることを外部から容易に認知することができる。その上、離脱阻止機構が係止凹部と、該係止凹部に係合する係合突部とで構成されるので、離脱阻止機構の構造を簡略化することができる。
【０００９】
さらに請求項２記載の発明によれば、メカニカルキーが把持ケースの幅方向中央部に位置するようにして第１ケース部材に挿入されるので、メカニカルキーを収容した状態ではメカニカルキーによって把持ケースを補強することができ、把持ケースの強度を高めることができる。
【発明を実施するための最良の形態】
【００１０】
以下、本発明の実施の形態を、添付の図面に示した本発明の一実施例に基づいて説明する。
【００１１】
図１〜図５は本発明の一実施例を示すものであり、図１はキーユニットの正面図、図２は図１の２矢視図、図３は図１の３−３線断面図、図４は図１の４−４線断面図、図５はキーユニットの分解斜視図である。
【００１２】
先ず図１および図２において、このキーユニット１０は、合成樹脂から成る把持ケース１１に、金属製のキープレート１３の一端部に合成樹脂から成る把持部１４が設けられて成るメカニカルキー１２が、前記把持ケース１１から離脱することを可能として収容されて成るものである。
【００１３】
図３〜図５を併せて参照して、前記把持ケース１１は、合成樹脂から成る第１ケース部材１５と、合成樹脂から成るとともに第１ケース部材１５に係脱可能に係合する合成樹脂製の第２ケース部材１６とから成り、第１および第２ケース部材１５，１６は相互に対向する側を開放した矩形の皿状に形成される。
【００１４】
ところで前記把持ケース１１には、車両や建物側の施・解錠制御装置（図示せず）との間で施・解錠コードやその他の情報の授受を行うための通信手段１７が内蔵されるものであり、この通信手段１７は、基板１８にアンテナ１９や複数のスイッチ２０，２１…等が設けられて成り、第２ケース部材１６に保持される。
【００１５】
前記基板１８は、前記各スイッチ２０，２１…に接触する弾性カバー２３を第２ケース部材１６との間に介在させて第２ケース部材１６の内側に収容され、前記弾性カバー２３および前基板１８の周縁部を第２ケース部材１６との間に挟むインナーケース２４に設けられた複数の突部２５，２５…が、第２ケース部材１６に設けられるとともに接着剤が充填される複数の凹部２６，２６…に嵌合される。すなわちインナーケース２４が、弾性カバー２３および前記基板１８を第２ケース部材１６との間に挟持するようにして第２ケース部材１６の内側に固定され、インナーケース２４には、前記基板１８に設けられたアンテナ１９を配置するための開口部２７と、前記基板１８に電気的に接続される電池２９を配置するための開口部２８とが設けられる。
【００１６】
また第２ケース部材１６には、前記基板１８上の各スイッチ２０，２１…に個別に対応した押しボタン３０，３１，３２，３３，３４が保持されており、それらの押しボタン３０〜３４は前記弾性カバー２３を介して前記各スイッチ２０，２１…に接触する。
【００１７】
第２ケース部材１６の幅方向両側には、第１ケース部材１５側に突出する係合爪３５，３５が、第２ケース部材１６の長手方向に比較的長く延びて一体に突設され、第１ケース部材１５の幅方向両側内面には、前記両係合爪３５…を弾発的に係合させる係止部３６，３６が形成される。而して第２ケース部材１６を第１ケース部材１５側に押圧することで係合爪３５…が係止部３６…に弾発係合することによって第１および第２ケース部材１５，１６が相互に係合されて把持ケース１１が構成されることになり、この状態で、前記電池２９は前記インナーケース２４および第１ケース部材１５間に挟持される。また第１ケース部材１５およびインナーケース２４間には前記インナーケースの２４両開口部２７，２８を囲む無端状状のシール部材３７が挟まれる。
【００１８】
第１ケース部材１５の長手方向一端には、前記メカニカルキー１２の把持部１４を配置するための切欠き部３８が設けられ、第１ケース部材１５の幅方向中央部には、前記メカニカルキー１２のキープレート１３を挿脱可能に係合せしめるようにして第１ケース部材１５の長手方向に延びる挿入孔３９が、その一端を前記切欠き部３８に開口するとともに他端を閉じるようにして設けられる。すなわちメカニカルキー１２は、把持ケース１１の幅方向中央部に位置するようにして第１ケース部材１５の挿入孔３９に挿入されることになる。
【００１９】
而して、メカニカルキー１２のキープレート１３を挿入孔３９に挿入し、第１ケース部材１５の切欠き部３８に把持部１４を配置し、第１および第２ケース部材１５，１６が相互に係合されて把持ケース１１を構成した状態で、把持部１４の一部は把持ケース１１の外側面に滑らかに連なるようにして把持ケース１１の外面に臨むことになる。
【００２０】
ところで、第１ケース部材１５の挿入孔３９に挿入された前記メカニカルキー１２および第２ケース部材１６間には、第１および第２ケース部材１６が相互に係合されている状態では第１ケース部材１５の挿入孔３９からの前記メカニカルキー１２の離脱を阻止するものの第１および第２ケース部材１５，１６の係合解除時には第１ケース部材１５の挿入孔３９からの前記メカニカルキー１２の離脱を許容する離脱阻止機構４０が設けられる。
【００２１】
この離脱阻止機構４０は、第２ケース部材１６と、メカニカルキー１２の把持部１４との間に設けられるものであり、第２ケース部材１６および前記把持部１４の一方、この実施例では把持部１４に設けられる係止凹部４１と、該係止凹部４１に係合するようにして第２ケース部材１６および前記把持部１４の他方、この実施例では第２ケース部材１６に突設される係合突部４２とから成る。
【００２２】
また把持ケース１０の長手方向一端部において、前記切欠き部３８とは反対側の側面には、第１および第２ケース部材１５，１６の係合を解除すべく、第１および第２ケース部材１５，１６間にコイン４３（図１参照）等を差し込んでねじるための溝４４（図２参照）が形成される。また把持ケース１０の長手方向一端部において第１および第２ケース部材１５，１６にはストラップ等を挿通せしめるための挿通孔４５，４６が同軸に設けられる。
【００２３】
次にこの実施例の作用について説明すると、把持ケース１１は、メカニカルキー１２が挿脱可能に挿入される第１ケース部材１５と、第１ケース部材１５に係脱可能に係合する第２ケース部材１６とから成り、第１ケース部材１５に挿入された前記メカニカルキー１２および第２ケース部材１６間に、第１および第２ケース部材１６が相互に係合されている状態では第１ケース部材１５からの前記メカニカルキー１２の離脱を阻止するものの第１および第２ケース部材１５，１６の係合解除時には第１ケース部材１５からの前記メカニカルキー１２の離脱を許容する離脱阻止機構４０が設けられるので、第１および第２ケース部材１５，１６の係合を解除しない限りは、離脱阻止機構４０の働きによってメカニカルキー１２が第１ケース部材１５から離脱してしまうことはなく、メカニカルキー１２が不所望に把持ケース１１から離脱してしまうことはない。しかも離脱阻止機構４０は、第１および第２ケース部材１５，１６が相互に係合する際に第２ケース部材１６をメカニカルキー１２に係合させればよいので、構造は簡単でよい。
【００２４】
またキープレート１３の一端部に把持部１４が設けられて成るメカニカルキー１２が、把持部１４の一部を把持ケース１１の外面に臨ませて第１ケース部材１５に挿入されるので、把持ケース１１にメカニカルキー１２が収容されていることを外部から容易に認知することができる。
【００２５】
また離脱阻止機構４０が、第２ケース部材１６および把持部１４の一方に設けられる係止凹部４１と、該係止凹部４１に係合するようにして第２ケース部材１６および把持部１４の他方に突設される係合突部４２とから成るもであるので、離脱阻止機構４０の構造を簡略化することができる。
【００２６】
さらにメカニカルキー１２が把持ケース１１の幅方向中央部に位置するようにして第１ケース部材１５に挿入されるので、メカニカルキー１２を収容した状態ではメカニカルキー１２によって把持ケース１１を補強することができ、把持ケース１１の強度を高めることができる。
【００２７】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００２８】
【図１】キーユニットの正面図である。
【図２】図１の２矢視図である。
【図３】図１の３−３線断面図である。
【図４】図１の４−４線断面図である。
【図５】キーユニットの分解斜視図である。
【符号の説明】
【００２９】
１０・・・キーユニット
１１・・・把持ケース
１２・・・メカニカルキー
１３・・・キープレート
１４・・・把持部
１５・・・第１ケース部材
１６・・・第２ケース部材
１７・・・通信手段
３９・・・挿入孔
４０・・・離脱阻止機構
４１・・・係止凹部
４２・・・係合突部
【図１】
0005276869.tif 000002
【図２】
0005276869.tif 000003
【図３】
0005276869.tif 000004
【図４】
0005276869.tif 000005
【図５】
0005276869.tif 000006